(57)【要約】      （修正有）【課題】ハンドルフレーム側の第１ジョイント部材とハンドル本体側の第２ジョイント部材とを低コストに製造すると共に、ハンドル本体の上下調整を簡潔な構成によって行うことができる走行作業機の操作ハンドルを提供する。【解決手段】ハンドルフレーム７ａとハンドル本体７ｂとを締付部材２７によって緊緩自在に連結することにより、ハンドル本体７ｂを上下調整可能に構成してなる走行作業機の操作ハンドルであって、前記ハンドルフレーム７ａに設ける接合部２６を有する第１ジョイント部材１０ａと、ハンドル本体７ｂに設ける接合部２６を有する第２ジョイント部材１０ｂとを、平面視において左右同形状となし、両ジョイント部材１０ａ，１０ｂが有する接合部２６，２６をハンドルフレーム７ａの延長線Ａ上で対向させて、締付部材２７の緊緩を介しハンドル本体７ｂの上下調整を行う構成にした。【選択図】図４
2011254756.tif 000002
【特許請求の範囲】
【請求項１】
走行機体から延設されるハンドルフレーム（７ａ）と、把持部（７ｃ）を有するハンドル本体（７ｂ）を、互いの接合部（２６）を横向きの締付部材（２７）によって緊緩自在に連結することにより、ハンドル本体（７ｂ）を上下調整可能に構成してなる走行作業機の操作ハンドルにおいて、前記ハンドルフレーム（７ａ）に設ける接合部（２６）を有する第１ジョイント部材（１０ａ）と、ハンドル本体（７ｂ）に設ける接合部（２６）を有する第２ジョイント部材（１０ｂ）とを、平面視において左右同形状となし、両ジョイント部材（１０ａ），（１０ｂ）が有する接合部（２６），（２６）をハンドルフレーム（７ａ）の延長線Ａ上で対向させて、締付部材（２７）の緊緩を介しハンドル本体（７ｂ）の上下調整を行うことを特徴とする走行作業機の操作ハンドル。
【請求項２】
第１ジョイント部材（１０ａ）と第２ジョイント部材（１０ｂ）を、接合部（２６）を有するジョイント本体部（３０）に、ハンドルフレーム（７ａ）の延長線（Ａ）側に向けて内向きに屈曲させたアーム部（３１）を設け、該アーム部（３１）の端部にハンドルフレーム（７ａ）又はハンドル本体（７ｂ）に取付けるジョイント取付部（３２）を形成した請求項１記載の走行作業機の操作ハンドル。
【発明の詳細な説明】
【技術分野】
【０００１】
本発明は、ハンドルフレームにハンドル本体を作業姿勢と収納姿勢に切換え可能とする走行作業機の操作ハンドルに関する。
【背景技術】
【０００２】
従来、走行機体から延設されるハンドルフレームと左右に把持部を有する二股状のハンドル本体とを、相対向する接合部に形成される菊座を噛み合わせた状態で、その中心部に締付部材を挿通させて緊緩自在に締め付けることにより連結すると共に、菊座の噛合位置を締付部材中心に変更することにより、ハンドル（把持部）を作業者の体型に合わせて、高さを調整自在とするようにした管理機（走行作業機）の操作ハンドルは既に公知である（例えば特許文献１。）。
【先行技術文献】
【特許文献】
【０００３】
【特許文献１】特開平７−１５６８０３号公報
【発明の概要】
【発明が解決しようとする課題】
【０００４】
上記特許文献１に示される管理機の操作ハンドルは、ハンドルフレームの後部に対しハンドル本体の上下調整を締付部材の緊緩により簡単に行うことができるが、ハンドルフレーム側の接合部（菊座）とハンドル本体側の接合部（菊座）とは、それぞれ専用の別部品として構成しているため、部品点数が多くなり複雑なハンドル構造になると共に、製作及び部品管理上の製造コストが高くなる等の問題がある。
またハンドル本体を、作業者の体型に合わせた高さの作業姿勢から、接合部を介して回動させ下方に折畳んだ収納姿勢に切換えようとするとき、締付部材を緩めるとハンドル本体は不定に下降回動してしまい、把持部が地面に接当したり作業者が収納姿勢位置を調節しながら収納姿勢に固定しなければならず、ハンドルの姿勢切換え作業を煩雑にする等の問題がある。
【課題を解決するための手段】
【０００５】
本発明は係る課題を解決するために、第１に、走行機体から延設されるハンドルフレーム７ａと、把持部７ｃを有するハンドル本体７ｂを、互いの接合部２６を横向きの締付部材２７によって緊緩自在に連結することにより、ハンドル本体７ｂを上下調整可能に構成してなる走行作業機の操作ハンドルにおいて、前記ハンドルフレーム７ａに設ける接合部２６を有する第１ジョイント部材１０ａと、ハンドル本体７ｂに設ける接合部２６を有する第２ジョイント部材１０ｂとを、平面視において左右同形状となし、両ジョイント部材１０ａ，１０ｂが有する接合部２６，２６をハンドルフレーム７ａの延長線Ａ上で対向させて、締付部材２７の緊緩を介しハンドル本体７ｂの上下調整を行うことを特徴とする走行作業機の操作ハンドル。
【０００６】
第２に、第１ジョイント部材１０ａと第２ジョイント部材１０ｂを、接合部２６を有するジョイント本体部３０に、ハンドルフレーム７ａの延長線Ａ側に向けて内向きに屈曲させたアーム部３１を設け、該アーム部３１の端部にハンドルフレーム７ａ又はハンドル本体７ｂに取付けるジョイント取付部３２を形成したことを特徴としている。
【発明の効果】
【０００７】
請求項１の発明によれば、走行機体から延設されるハンドルフレーム側に設ける第１ジョイント部材とハンドル本体側の第２ジョイント部材とを、同形状となして互いの接合部をハンドルフレームの延長線上に位置させることにより、締付部材の緊緩を介してハンドル本体の上下調整を簡潔な構成によって行うことができると共に、部品の兼用化を図り部品点数の削減に寄与することができ操作ハンドルの製造コストを低減することができる。
【０００８】
請求項２の発明によれば、第１ジョイント部材と第２ジョイント部材を、接合部を形成したジョイント本体部から内向きに屈曲させたアーム部を介して、ハンドルフレーム又はハンドル本体に固設させるジョイント取付部を形成したことにより、ハンドル本体を締付部材を支点に下方に折畳んだ収納姿勢にするとき、第２ジョイント部材側のアーム部を第１ジョイント部材側のアーム部に接当させることができ、この接当位置をハンドル本体の収納姿勢を位置決めするストッパにすることができるので、ハンドル本体の収納作業を行い易くすることができる。
また両ジョイント部材の接合部と取付部とをハンドルフレームの延長線上におくことができるので、ジョイント部材をハンドルフレームの延長幅から大きくはみ出させることなくコンパクトに纏めた簡潔な構成にすることができる。
【図面の簡単な説明】
【０００９】
【図１】管理機の側面図である。
【図２】操作ハンドルを折畳んだ状態を示す管理機の側面図である。
【図３】操作ハンドルの作用を示す側面図である。
【図４】ジョイントの構成を示す平面図である。
【図５】第１ジョイント部材及び第２ジョイント部材の平面図である。
【図６】図５の側面図である。
【図７】ハンドルフレームの取付け構造を示す断面図である。
【発明を実施するための形態】
【００１０】
本発明の一実施形態を図面に基づいて説明する。走行作業機としての管理機１は図１，図２に示すように、バーチカル型のエンジン２と、該エンジン２の下部から上下に延設されて動力を取出す出力軸３の動力を受けて駆動する耕耘装置４と、これら出力軸３及び耕耘装置４の駆動部５を収容する伝動ケース６を有している。
【００１１】
上記伝動ケース６は、後部上方に向けて延長される取付部６ａに、操作ハンドル７を着脱可能に取付固定していると共に、作業中に土中に埋没して使用される抵抗棒８を上下反転可能に取付けている。また抵抗棒８は反転して取付けられる側に、地面に接地して転動する尾輪９を設けている。
【００１２】
上記操作ハンドル７は、伝動ケース６の取付部６ａに取付けられるハンドルフレーム７ａと、後端部に作業者が握持する左右の握持部７ｃを有する２又状のハンドル本体７ｂとからなる。そして、操作ハンドル７はハンドルフレーム７ａとハンドル本体７ｂを、本発明に係る第１ジョイント部材１０ａと第２ジョイント部材１０ｂとからなるジョイント１０を介し、上方に向けて伸展した作業位置（図１の作業姿勢）と、前方に折畳まれた収納位置（図２の収納姿勢）とに姿勢切換え可能に連結している。
【００１３】
ハンドルフレーム７ａは丸パイプからなり、その下部側を図７で示すように前記伝動ケース６の後部上方に形成した半円形断面の取付部６ａに側方から嵌合させた状態で、複数の締付部材（ボルト）１１を上下に挿入することにより着脱自在に締着される。
このハンドルフレーム７ａは、その基部側に締付部材１１を挿入するパイプ径からなる締付部材パイプ１２を嵌挿固定すると共に、該締付部材パイプ１２の両端をフレーム面から突出させている。一方、取付部６ａの取付面には上記締付部材パイプ１２の突出部を嵌合させるパイプ穴１３と締付部材１１を挿入する締付部材孔１４を形成している。
【００１４】
これによりハンドルフレーム７ａは、パイプ１２の突出部をパイプ穴１３に挿入し基部の位置決めを確実にした状態で、ボルト等からなる締付部材２７を締付部材パイプ１２に挿入し取付部６ａの外側とナット１１ａを介して締着し、ハンドル取付け剛性を高めハンドル本体７ｂを支持することができる。
上記取付部６ａは、一側を開放した取付面を半円弧状断面となし伝動ケース６と一体にしているので、アルミ部材又は鉄を用いたダイキャスト加工によって簡単且つ強度を有して形成することができる。
【００１５】
一方、耕耘装置４の駆動部５は、出力軸３の下端に設けられたウォーム１６と、該ウォーム１６と噛合するウォームホイール１７から、該ウォームホイール１７を軸支する回転軸の左右に取付けられた耕耘軸２０を回転駆動する。耕耘軸２０は複数の耕耘爪２１を取付けており、エンジン２から出力軸３に出力された回転が、その回転方向をウォーム１６及びウォームホイール１７により変えられて、耕耘軸２０に伝達され耕耘爪２１の回転により圃場を耕耘する。
【００１６】
次に、図３〜図６を参照しジョイント１０の構成及びハンドルの折畳構造について説明する。操作ハンドル７は、機体幅の中心部において伝動ケース６から後方に向けて延設されるハンドルフレーム７ａの後端と、一本のパイプ材を平面視コ字状に屈曲形成してなるハンドル本体７ｂの接続部２５中央とに、第１ジョイント部材１０ａと第２ジョイント部材１０ｂを、それぞれの接合部２６を対向させて固設している。
図示例の第１ジョイント部材１０ａと第２ジョイント部材１０ｂは、共に部品の兼用化を可能とするように同形状となしており、両者の相対向する接合部２６を、握り部２７ａ付の締付部材２７を挿入可能な締付部材孔２９を中心に放射方向の凹凸面で形成される菊座としている。
【００１７】
即ち、第１ジョイント部材１０ａと第２ジョイント部材１０ｂは、共に菊座２６の中心に締付部材孔２９を穿設してなるジョイント本体部３０と、該ジョイント本体部３０の外周一側から延設したアーム部３１と、該アーム部３１の先端に設けるジョイント取付部３２とを同形状にしている。
またジョイント本体部３０からアーム部３１を内側に向けて屈曲させることにより、接合部２６とジョイント取付部３２をハンドルフレーム７ａの延長線Ａ上に配置するようにしている。
【００１８】
これにより第１ジョイント部材１０ａと第２ジョイント部材１０ｂは、当該部品を鍛造又は鋳造によって製造する際に一つの加工型を準備するだけで製造することができ、部品の共通化を図ることができる等の特徴がある。
この際にジョイント本体部３０の外側面には、締付部材２７に螺挿するナット２７ｂを嵌挿して回り止めをするナット穴２９ａを一体的に形成することが望ましい。
【００１９】
また第１ジョイント部材１０ａと第２ジョイント部材１０ｂは、共にジョイント取付部３２の外形を、ハンドルフレーム７ａに嵌合する直径の円形断面にしていると共に、図６で示すように端面には前記接続部２５に嵌合する半円弧状の接合面３３を形成している。
【００２０】
これにより第１ジョイント部材１０ａは、ジョイント取付部３２をハンドルフレーム７ａ内に挿入した状態で溶接或いは締付部材止め等の固定手段によって簡単且つ確実に固設することができる。また第２ジョイント部材１０ｂは、第１ジョイント部材１０ａに対し反転させた向きで、ジョイント取付部３２の端部に形成される接合面３３を、接続部２５の中央部に位置決め嵌合させた状態で溶接等の固設手段によって固設することができる。
【００２１】
次に、以上のように構成される操作ハンドル７の組み付け及び使用の態様について説明する。先ず伝動ケース６の取付部６ａに取付けられたハンドルフレーム７ａの第１ジョイント部材１０ａに対し、該第１ジョイント部材１０ａの接合部２６に、図３，図４で示すようにハンドル本体７ｂに設けた第２ジョイント部材１０ｂの接合部２６を、互いの菊座を噛合させて作業位置に接当させる。
【００２２】
次いでナット穴２９ａより径大な座金３５を挿入した締付部材２７を、第１ジョイント部材１０ａ側の締付部材孔２９から第２ジョイント部材１０ｂの締付部材孔２９に挿入し、第２ジョイント部材１０ｂのナット穴２９ａに内嵌されるナット２７ｂにねじ込む。
これにより締付部材２７は、上記座金３５とナット２７ｂの間で第１ジョイント部材１０ａと第２ジョイント部材１０ｂを締着し互いの菊座の噛合を介して接合し、ハンドル本体７ｂを把持部７ｃが所望の高さとなる作業姿勢に強固に固定することができ、運転を行い易くすることができる。
【００２３】
そして、操作ハンドル７を収納姿勢にするときは、締付部材２７を前記互いの接合部２６を菊座に形成される山部が離間する程度に緩めることにより、ハンドル本体７ｂを締付部材２７支点に下降回動することができる。
このときハンドル本体７ｂは、第２ジョイント部材１０ｂ側のアーム部３１が第１ジョイント部材１０ａ側のアーム部３１に接当するストッパ位置まで回動し、それ以上の回動が規制された位置で締付部材２７の締め付けによって固定する。
これにより図２で示すようにハンドル本体７ｂは、図２及び図３の点線で示すように、抵抗棒８の下端に対し前側に折畳んだコンパクトな収納姿勢に簡単に切換え操作することができる。
【００２４】
従って、ハンドル本体７ｂを締付部材２７を支点に下方に折畳んだ収納姿勢にするとき、第２ジョイント部材１０ｂ側のアーム部３１を第１ジョイント部材１０ａ側のアーム部３１に接当させるので、この接当位置をハンドル本体７ｂの収納姿勢を位置決めするストッパにすることができ、ハンドル本体７ｂの所定の折畳み位置に保持して収納作業を行い易くすることができる。また両者の接合部２６の接合面と各取付部６ａとを中心線Ａ上に一致させておくことができるので、ジョイント１０をハンドルフレーム７ａの延長幅から大きくはみ出させることなくコンパクトに纏めた簡潔な構成にすることができる。
【符号の説明】
【００２５】
１  管理機
２  エンジン
６  伝動ケース
７  操作ハンドル
７ａ  ハンドルフレーム
７ｂ  ハンドル本体
１０  ジョイント
１０ａ  第１ジョイント部材
１０ｂ  第２ジョイント部材
２６  接合部（菊座）
２７  締付部材
３０  ジョイント本体部
３２  ジョイント取付部
Ａ  延長線
【図１】
2011254756.tif 000003
【図２】
2011254756.tif 000004
【図３】
2011254756.tif 000005
【図４】
2011254756.tif 000006
【図５】
2011254756.tif 000007
【図６】
2011254756.tif 000008
【図７】
2011254756.tif 000009